(57)【要約】      （修正有）【課題】安全性、効率、および自分で使用する快適さに配慮された皮膚剥離用器具を提供する。【解決手段】微細制御式皮膚剥離ハンドピース１００であって、ユーザがハンドピースを保持するためのハンドピース本体１０と、処置組織に陰圧を提供するための処置ヘッド１４と、ハンドピース本体を通じて処置ヘッドに陰圧を提供するための真空チューブ１２とを備え、ハンドピース本体が処置ヘッドへの陰圧の供給を制御するための少なくとも１個の開口部１６を備え、少なくとも１個の開口部は前記ユーザがハンドピースを保持することによって閉塞可能である。【選択図】図１Ａ
2013111451.tif 000002
【特許請求の範囲】
【請求項１】
微細制御式皮膚剥離ハンドピースであって、
ユーザが該ハンドピースを保持するためのハンドピース本体と、
処置組織に陰圧を提供するための処置ヘッドと、
前記ハンドピース本体を通じて前記処置ヘッドに陰圧を提供するための真空チューブと、
を備え、
前記ハンドピース本体が前記処置ヘッドへの陰圧の供給を制御するための少なくとも１個の開口部を備え、前記少なくとも１個の開口部は前記ユーザが前記ハンドピースを保持することによって閉塞可能である、
ハンドピース。
【請求項２】
前記処置ヘッドが剥離層を備える、請求項１に記載のハンドピース。
【請求項３】
前記処置ヘッドは中を通じて処置組織に陰圧を提供可能である間隙を備え、該間隙は前記ヘッドの内周と前記剥離層の外周との間において前記剥離層を囲んでいる、請求項２に記載のハンドピース。
【請求項４】
前記処置ヘッドが処置表面の形状に適合可能な可撓性リムを備える、請求項１に記載のハンドピース。
【請求項５】
前記ハンドピース本体が曲げ可能な関節部を備える、請求項１に記載のハンドピース。
【請求項６】
前記関節部が周縁蛇腹継手または環状蛇腹継手を備える、請求項５に記載のハンドピース。
【請求項７】
前記蛇腹継手が前記関節部の曲げを可能にする波形パターンを備える、請求項６に記載のハンドピース。
【請求項８】
前記蛇腹継手が、交互に配置された環状剛性ノードおよび環状可撓性溝を備える、請求項７に記載のハンドピース。
【請求項９】
前記ハンドピース本体は中を通じて陰圧が通過可能な内部チューブを備え、前記内部チューブが前記ハンドピース本体の曲げ可能関節部の曲げに従って前記内部チューブを操縦するための操縦可能部を備える、請求項５に記載のハンドピース。
【請求項１０】
前記内部チューブの前記操縦可能部が環状蛇腹継手を備えた曲げ可能部である、請求項９に記載のハンドピース。
【請求項１１】
前記内部チューブの前記操縦可能部が回転楕円状継手およびソケット継手を備える、請求項９に記載のハンドピース。
【請求項１２】
皮膚剥離ハンドピースを微細制御する方法において、
前記皮膚剥離ハンドピースの処置ヘッドへの陰圧の供給を制御する工程であって、前記皮膚剥離ハンドピースは、ユーザが該ハンドピースを保持するためのハンドピース本体と、処置組織に陰圧を提供するための処置ヘッドと、前記ハンドピース本体を通じて前記処置ヘッドに陰圧を提供するための真空チューブと、を備え、前記ハンドピース本体が前記処置ヘッドへの陰圧の供給を制御するための少なくとも１個の開口部を備え、前記少なくとも１個の開口部は前記ユーザが該ハンドピースを保持することによって閉塞可能である、工程を含み、
前記処置ヘッドへの陰圧の供給の前記制御は、前記少なくとも１個の開口部を選択的に閉塞することによって実行される、方法。
【請求項１３】
前記処置ヘッドが処置表面の形状に適合可能な可撓性リムを備え、
前記方法は前記処置ヘッドの形状を処置表面の形状に適合させることを備える、請求項１２に記載の方法。
【請求項１４】
前記ハンドピース本体が曲げ可能な関節部を備え、
前記方法は前記関節部によって生成された角度を制御することを備える、請求項１２に記載の方法。
【発明の詳細な説明】
【技術分野】
【０００１】
本発明は、微細制御式皮膚剥離用ハンドピースに関する。
【背景技術】
【０００２】
美顔用皮膚剥離は急速に成長している分野であり、多くの皮膚剥離用器具は専門家による皮膚の処置を想定している。中には、一般家庭のユーザによる使用を想定した皮膚剥離用器具もある。
【発明の概要】
【発明が解決しようとする課題】
【０００３】
しかし一般家庭のユーザ用の皮膚剥離用器具は通常、医学的観察を受けずに使用されるため、その設計において安全性、効率、および自分で使用する快適さに対してさらなる配慮が払われるべきである。
【課題を解決するための手段】
【０００４】
本発明と見なされる対象は、明細書の結びの部分で特に指摘され、明確に請求されている。しかし本発明は、添付図面と共に読まれる時、以下の詳細な記載を参照することによって、その目的、機能、および利点と共に、構造および操作方法の両方に関して最も良く理解され得る。
【図面の簡単な説明】
【０００５】
【図１Ａ】本発明のいくつかの実施形態による皮膚剥離用ハンドピースの、非透視図および部分透視図である。
【図１Ｂ】本発明のいくつかの実施形態による皮膚剥離用ハンドピースの、非透視図および部分透視図である。
【図２Ａ】本発明の実施形態による可撓性弾性リムを有する処置ヘッドの概略図である。
【図２Ｂ】本発明の実施形態による可撓性弾性リムを有する処置ヘッドの概略図である。
【図２Ｃ】本発明の実施形態による可撓性弾性リムを有する処置ヘッドの概略図である。
【図３Ａ】本発明の２つの異なる実施形態による、曲げ可能な関節部を有する処置ハンドピースの概略断面図である。
【図３Ｂ】本発明の２つの異なる実施形態による、曲げ可能な関節部を有する処置ハンドピースの概略断面図である。
【０００６】
図解を簡略化および明瞭化するために、図に示した要素は必ずしも縮尺通りに描かれていないことを理解されたい。たとえばいくつかの要素の寸法は、明瞭化のために他の要素と比較して誇張され得る。さらに適切であると考慮される場合、参照数字は、対応するまたは類似の要素を指摘するために、図の間で反復され得る。
【発明を実施するための形態】
【０００７】
以下の詳細な記載では、本発明の十分な理解を提供するために、多くの具体的な詳細事項が示される。しかし、本発明はこれらの具体的な詳細事項を用いずに実施され得ることが、当業者によって理解されるであろう。他の例では、本発明を不明瞭にしないために、周知の方法、手順、および構成要素が詳細に記載されていない。
【０００８】
本発明のいくつかの実施形態による皮膚剥離用ハンドピース１００の非透視図および部分透視図である、図１Ａおよび１Ｂがここで参照される。皮膚剥離用ハンドピース１００は、ハンドピース本体１０、真空チューブ１２、処置ヘッド１４および処置剥離層１９を含み得る。本体１０は、たとえばハンドピースの本体１０を保持して、ユーザ自身または他の人の処置される皮膚部位上で処置ヘッド１４を操縦することのような、ユーザによるハンドピースの取扱いのために設計され得る。処置ヘッド１４は、本体１０の末端部に、たとえば着脱自在に設置され得る。真空チューブ１２は、真空源から本体１０を通じて処置ヘッド１４に陰圧を提供し得る。処置ヘッド１４は開口部１６を含み得て、開口部１６を通じて陰圧が処置組織に提供され得る。剥離層１９は、処置ヘッド１４内で開口部１６に近接して、たとえば着脱自在に設置され得るので、組織に陰圧が印加されたときに、組織が開口部１６の中に吸引され、組織において剥離層１９によって皮膚剥離が行われ得る。たとえば剥離層１９は処置ヘッド１４内に設置され得るので、ヘッドの内周１４とヘッドの外周１９との間の剥離層１９の周囲に間隙が画成され得て、そのためたとえば、陰圧が周囲の剥離層１９から処置組織に提供され得る。しかし、本発明はこの点で制限されておらず、陰圧は剥離層を通じて、または他のいずれかの好適な配置で処置組織に提供され得る。剥離層１９は、たとえば好適な数のリブ１９ａによって、または他のいずれかの好適な方式によって、処置ヘッド１４に設置され得る。
【０００９】
図１Ｂに示すように、本体１０は、陰圧の供給のために真空チューブ１２の一端に続けて連結可能な内部チューブ１０ａを含み得る。内部チューブ１０ａは、開口部１６を通じて処置ヘッド１４の内部空間中におよび処置組織に向けて、たとえば剥離層１９周囲から陰圧を供給するための開口部１５で終結し得る。開口部１５は、大型の廃棄粒子の内部チューブ１０ａおよび／またはチューブ１２への進入および／または閉塞を防止するためのフィルタ１５ａを含み得る。フィルタは交換自在または着脱自在であり得る。
【００１０】
本発明のいくつかの実施形態において、本体１０は開口部１８で終結するチャネル１７を含み得る。開口部１８が閉塞されていないとき、提供された陰圧は開口部１８から排出され得て、したがって処置組織には印加され得ない。真空チューブ１２から処置ヘッド１４への陰圧の供給は、ユーザがたとえばユーザの手および／または指で開口部１８を閉塞および／または開放することにより制御され得る。これにより、印加される圧力の容易かつ迅速な、そして直観的な制御を可能にし得る。開口部１８は処置の間に安全機構として動作し得て、陰圧に処置表面以外の代替排出経路を与える。ユーザによる直観的および通常の取扱いの間に開口部１８が閉塞されているときのみに、代替経路が遮断されて、たとえば陰圧が処置表面に作用し得る。したがって処置ヘッド１４への陰圧供給の制御は、ユーザが開口部１８を選択的に閉塞することによって実行され得る。図面は２個の開口部１８を表示しているが、本発明はこの点で制限されるものではなく、ハンドピース１００は任意の好適な形状およびサイズの、１個または他の任意の好適な数の開口部１８を含み得ることが認識されるであろう。
【００１１】
図２Ａを参照すると、処置ヘッド１４は、たとえばシリコーン化合物、ゴム、エラストマー、ポリマー、ポリウレタンおよび／または他のいずれかの好適な弾性材料などの、１つ以上の弾性材料から形成されるかまたは１つ以上の弾性材料を含み得る。処置ヘッド１４は、弾性ラッピングスリーブ１４ａおよび／または可撓性リム１４ｂを含み得る。ラッピングスリーブ１４ａは、本体１０の一部、たとえば本体１０のおよび／または内部チューブ１０ａの端部を包囲し得て、そのためたとえば処置ヘッド１４は弾性ラッピングスリーブ１４ａによって、本体１０に設置および／または固く把持され得る。処置ヘッド１４と本体１０との間の他の連結方式も可能である。可撓性リム１４ｂは、図２Ａ、２Ｂおよび２Ｃを参照して本明細書に詳細に記載されるように、処置表面の形状に弾性的に適合可能であり得る。
【００１２】
剛性処置ヘッドは通常、湾曲した処置表面に気密的に付着することができず、したがって陰圧が組織に効率的に印加できないため、たとえば顎、鼻および他の部位などのいくつかの湾曲した体の部位は、剛性処置ヘッドによって処置することが困難である。リム１４ｂまたは処置ヘッド全体１４の処置表面の形状への弾性的適合によって、処置表面と処置ヘッド１４との間のより良好な気密状態が達成され、そのためたとえば、印加された陰圧のたとえばより良好な有効性および／または効率が達成され得る。本発明の実施形態による可撓性弾性リム１４ｂを備えた処置ヘッド１４の概略図である図２Ａ、２Ｂおよび２Ｃがここで参照される。図２Ａに示すように、圧力はたとえば矢印Ａの方向でリム１４ｂに印加され得る。圧力はたとえば、処置ヘッド１４が処置を提供するために押し付けられ得る体の処置部分によって印加され得る。リム１４ｂに印加された圧力は、可撓性リム１４ｂの弾性変形を引き起こし得て、そのためたとえば点線で示すように、たとえばリム１４ｂの形状を処置表面の形状に適合させ得る。たとえば図２Ｂに示すように、処置ヘッド１４の形状は、処置ヘッド１４が処置される湾曲部位に押し付けられているときに、処置される湾曲表面によって可撓性リム１４ｂに（矢印Ｄによって示される方向に）印加された圧力の結果として、たとえば鼻部位における処置表面の形状に適合され得る。同様に図２Ｃに示すように、処置ヘッド１４の形状は、処置ヘッド１４が処置される湾曲部位に押し付けられているときに、湾曲した顎表面によって可撓性リム１４ｂに印加された圧力の結果として、たとえば顎部位の形状に適合され得る。いくつかの実施形態において、剥離層１９も可撓性であり得て、回転可能であり得て、および／またはばね操縦式であり得て、そのためたとえばハンドピース１００に必要以上の可撓性を提供して、処置表面の形状に対する最大限の調整を可能にする。
【００１３】
当然ながら、体のある部分は異なる角度および湾曲を有し、このことは単方向ハンドピースによる処置がより困難となり得る。人間工学的には、ユーザが他の角度よりも、ある角度でハンドルを保持することがより快適である。したがって、本発明のいくつかの実施形態は、たとえば本体１０に含まれる曲げ可能な関節部を含み得る。曲げ可能な部分は、たとえば処置ヘッド１４と処置表面との接触をより良好にすることによって、ハンドピース１００でのさらなる快適性を実現し得る、ならびに／または湾曲した体の部位および／もしくはアクセスされることが不快な体の部位の処置を容易にし得る。
【００１４】
本発明の２つの異なる実施形態による曲げ可能な関節部を備えた処置ハンドピース１１０ａおよび１１０ｂの概略断面図である、図３Ａおよび３Ｂがここで参照される。図３Ａおよび３Ｂにおいて、本明細書で詳細に記載されたハンドピース１００の要素に類似した要素は、同じ参照番号が付されている。ハンドピース１１０ａおよび１１０ｂは、処置ヘッド１４、真空チューブ１２、本体１０および内部チューブ１０ａを含む。本発明のいくつかの実施形態によると、本体１０は関節部３０を含み得る。関節部３０は曲げ可能および／または操縦可能、たとえば塑性的に曲げ可能であり得るので、本体１０にてある角度が生成される。曲げ／操縦の程度、したがってたとえば生成される角度は、ハンドピース１１０ａまたは１１０ｂのユーザによって制御され得る。図３Ａおよび３Ｂに示すように、関節部３０はたとえば、本体１０のあらゆる方向への曲げを可能にし得る、周縁蛇腹継手または環状蛇腹継手であり得るか、または周縁蛇腹継手または環状蛇腹継手を含み得る。関節部３０は、関節部３０の曲げおよび／または操縦を可能にする波形パターンを形成し得る、交互になった周縁剛性ノードまたは環状剛性ノード３２および環状可撓性溝３４を、本体１０の周囲を囲むように含み得る。たとえば各剛性ノード３２は、２つの可撓性溝３４の間に位置し得る。溝３４は、関節部３０の曲げを可能にし得る。しかし溝３４の可撓性は、たとえば部分３０の曲げ性、すなわち部分３０が曲がり得る程度を制限するために制限され得る。加えて、または代わりに部分３０の曲げ性は剛性ノード３２によって制限され得て、剛性ノード３２はある曲げ角を超えると、相互に接触し、および／または相互に押し合って、そのため部分３０のさらなる望ましくない曲げを防止し得る。内部チューブ１０ａは、部分３０の曲げに従って曲がり得る／操縦され得る、曲げ可能または操縦可能部３６（図３Ａ）または３８（図３Ｂ）を含み得る。曲げ可能部３０および３６は、円Ｂにより詳細に示されている。曲げ可能部３０および３８は、円Ｃにより詳細に示されている。
【００１５】
図３Ａに示すように、内部チューブ１０は、本発明のいくつかの実施形態において、内部チューブ１０ａを通じた陰圧の連続通過を可能にする中空コアを有する曲げ可能部３６を含み得る。曲げ可能部３６はたとえば、内部チューブ１０ａを通じた陰圧の通過を閉塞することなく、部分３６の曲げを可能にする溝３６ａの環状波形パターンを含み得る環状蛇腹継手であり得るか、または環状蛇腹継手を含み得る。部分３６が曲がり得る程度は、環状溝３６ａの可撓性によって制限され得る。本発明の他の実施形態によれば、内部チューブ１０ａ、特に部分３６に関しては、可撓性チューブとして実装され得る。
【００１６】
図３Ｂに示すように、内部チューブ１０ａは、本発明のいくつかの実施形態において、内部チューブ１０ａを通じた陰圧の連続通過を可能にする中空コアを有する操縦可能部３８を含み得る。操縦可能部３８は、あらゆる方向への操縦を可能にする。たとえば操縦可能部３８は、たとえば回転楕円状継手３８ａおよびソケット継手３８ｂを含み得て、回転楕円状継手３８ａがソケット継手３８ｂに嵌合する、ボールソケット形軸（回転楕円状）継手であり得る、またはボールソケット形軸（回転楕円状）継手を含み得る。両方の継手３８ａおよび３８ｂが、内部チューブ１０ａの中空内部／コアに連続的につながる中空コアを含み得るので、内部チューブ１０ａを通じた陰圧の連続通過を可能にする。回転楕円状継手３８ａは、一端では内部チューブ１０との接合によって、他端ではソケット継手３８ｂおよび／または内部チューブ１０ａの中空コアに向かう開口部４０によって境界画成されたおよび／または遮断された回転楕円表面３９を含み得る。ソケット継手３８ｂは、回転楕円状継手３８ａを含有および／または保持するソケット端部４１を含み得る。ソケット端部４１は、操縦がある角度に達したときにチューブ１０ａと衝突し得て、そのためたとえば操縦角は制限され得る。操縦が制限され得るので、たとえば内部チューブ１０ａを通じたならびに継手３６および３８を通じた陰圧の通過は閉塞されないであろう。本発明の他の実施形態により、本体１０の可撓性角は、各種の関節部品の間の一定量の摩擦によっても制御および／または制限され得る。
【００１７】
本発明のある特色が本明細書で例証および記載されてきたが、当業者はここで多くの修正、置換、変更、および均等物を思いつくであろう。したがって、添付請求項がこのようなすべての修正および変更を、本発明の真の精神の範囲内にあるとして含むものとすることが理解されるはずである。
【図１Ａ】
2013111451.tif 000003
【図１Ｂ】
2013111451.tif 000004
【図２Ａ】
2013111451.tif 000005
【図２Ｂ】
2013111451.tif 000006
【図２Ｃ】
2013111451.tif 000007
【図３Ａ】
2013111451.tif 000008
【図３Ｂ】
2013111451.tif 000009
【外国語明細書】
2013111451000001.pdf